(57)【特許請求の範囲】
【請求項１】
ゴルフのスイング練習用クラブであって、
シャフトと、このシャフトの先端に装備されたクラブヘッドとを備えて構成し、
前記クラブヘッドを、フェース部、クラウン部、およびソール部で形成された内部空間を有するドライバー用のクラブヘッドとし、
前記フェース部のフェース面に前記クラブヘッドのスイートスポットおよびその周辺領域を覆う打撃部材を設け、
この打撃部材を、先端表面が前記フェース面と平行に形成されると共にゴルフボールを打撃する打撃面となった円柱部材で構成し、
この円柱部材を、前記フェース面の外方に配置される本体部および当該本体部と一体的に形成され前記フェース面の内面側に配置されるオネジ部で構成すると共に、前記クラブヘッドの重心と前記スイートスポットとを結ぶ線の延長上に設け、
前記フェース面の裏面に、前記クラブヘッドの重心と前記スイートスポットとを結ぶ線に沿いかつ前記裏面から前記重心側に向けて前記内部空間に突出したナット部材を設け、
前記ナット部材に前記オネジ部を螺合して前記円柱部材を前記フェース面に装着したことを特徴とするスイング練習用クラブ。
【請求項２】
請求項１に記載のスイング練習用クラブにおいて、
前記円柱部材の前記本体部を、当該本体部の前記打撃面の表面積がそれぞれ異なる複数種類で構成すると共にそれぞれの前記円柱部材を交換可能としたことを特徴とするスイング練習用クラブ。
【請求項３】
請求項１または請求項２に記載のスイング練習用クラブにおいて、
前記本体部の外周の前記オネジ部側一部に前記円柱部材の交換作業時に交換作業用の工具と係合する二面幅を形成したことを特徴とするスイング練習用クラブ。
【発明の詳細な説明】
【技術分野】
【０００１】
本発明はスイング練習用ゴルフクラブに係り、さらに詳しくは、常時、クラブヘッドのフェース面上のスイートスポットおよびその周辺領域でゴルフボールを打撃する正しいスイングが得られるようになるスイング練習用クラブに関する。
【背景技術】
【０００２】
ゴルフにおいて、好スコアでラウンドを回るためには、正しいスイングでゴルフボールを打撃することが必須条件である。
正しいスイングとは、クラブヘッドのフェース面をゴルフボールにスクエアに当てて、ゴルフボールを狙った方向に真っ直ぐに飛ばすことである。そして、クラブヘッドのフェース面とゴルフボールとをスクエアに当てる際、いわゆるスイートスポットでゴルフボールを打つことを意識してスイングすると、正しいスイングが得られる。
ここで、スイートスポットとは、ゴルフのクラブやテニスのラケット、野球のバットなどで、ゴルフボールを打つのに最適の個所、つまり、最適打球点である、と定義されている。
【０００３】
上記スイートスポットについて、さらに詳細に説明する。
図１１に示すように、クラブ１１０は、シャフト１１１と、このシャフト１１１の先端にホーゼル１１２を介して設けられたクラブヘッド１１３とを備えて構成され、このクラブヘッド１１３は、クラウン部１１４、フェース部１１５およびソール部１１６を備えて構成されている。
【０００４】
そして、クラブヘッド１１３の重心Ｇからフェース部１１５のフェース面１１５Ａに向かって延びた垂線Ｐとフェース面１１５Ａとの交点がスイートスポットＳＳとされ、このスイートスポットＳＳでゴルフボールを打てば、クラブヘッド１１３が上下左右にぶれないので、打つエネルギーをロスしない、つまりエネルギーの無駄がない、とされている。
また、スイートスポットＳＳを多少外しても、方向性、飛距離が大きく狂わない領域はスイートエリアとも言われている。
【０００５】
正しいスイングを身に付けるには、スイングを数多く繰り返すことであり、その際、常にスイートスポットＳＳを意識してスイングすることが重要である。
そして、スイートスポットＳＳでゴルフボールを打撃する練習具として、ゴルフ練習用クラブ（例えば特許文献１参照）、およびゴルフ練習用器具（例えば特許文献２参照）が知られている。
【０００６】
上記特許文献１に開示されたゴルフ練習用クラブは、ヘッド部のフェース面のスイートスポット部に対応する位置に、ゴルフゴルフボールの直径より広い幅を有する開口部を設け、この開口部に連続する空洞部をヘッド部内に形成した構成とされている。
この空洞部の側面には緩衝材が設けられており、空洞部内に嵌まり込んだゴルフボールを挟持することができるようになっている。
【０００７】
また、上記特許文献２に開示されたゴルフ練習具は、ゴルフクラブのフェース面に着脱可能に貼り付けられた凸状部材を備えた構成とされ、凸状部材は、フェース面上に予め定められるスイートスポットに重なる領域を囲む線上に設けられ、かつ凸状部材の突出部断面が山形に形成された形状となっている。
【先行技術文献】
【特許文献】
【０００８】
【特許文献１】特開２０１１−２２４１７８号公報
【特許文献２】特開２０１２−０１６３６９号公報
【発明の概要】
【発明が解決しようとする課題】
【０００９】
しかし、前記特許文献１に開示されたゴルフ練習用クラブでは、クラブをスイングしたとき、ゴルフボールの中心がスイートスポット部を通過した場合は空洞部にうまく嵌まり込むが、同特許文献１の図３に示すように、側面に設けられている緩衝材の対向する端部の内側でゴルフボールを打撃した場合、すなわち、ゴルフボールの中心とスイートスポット部とがずれていた場合でも、そのボールは緩衝材の内面にガイドされて空洞部に嵌まり込んでしまう。
その結果、ヘッド部のスイートスポット部でゴルフボールを確実に打撃しているか否かの判断ができない、という問題がある。
また、スイングしてゴルフボールが空洞部に嵌まり込んでしまった場合、次にスイングするためには、その都度、空洞部に嵌まり込んだゴルフボールを取出さなければならず、連続してスイングすることができない、という問題もある。
そもそも、特許文献１では、クラブでゴルフボールを打撃したと言う打撃の感触が生じないので、スイートスポット部で打撃した際の爽快感を味わえない。
【００１０】
また、前記特許文献２に開示されたゴルフ練習用器具では、リング状の凸状部材の突出部断面が山形に形成されているので、ゴルフクラブをスイングしたとき、凸状部材の内周部でゴルフボールが打撃されていれば、クラブの表面でかつスイートスポットに重なる領域で打撃していることになり、ボールは真っ直ぐに飛ぶ。
しかし、凸状部材の突出部において山形の内側部で、例えばゴルフボールの中心から外側部を打撃した場合、ゴルフボールは山形の内側部を伝わってリング状の凸状部材の内周面、つまり、スイートスポットに重なる領域に当たると共に反発して飛び出す。
【００１１】
ここで、リング状の凸状部材の内径部は、ゴルフボールの直径よりわずかに大きく形成されているので、山形の内側部を伝わったゴルフボールは、フェース面側に一旦吸い込まれると共に反対側の凸状部材の内径部に当たる。その結果、あたかも、スイートスポットに重なる領域で打撃した状態となり、ゴルフクラブのスイートスポット部でゴルフボールを確実に打撃しているか否かの判断ができない、という問題がある。
さらに、凸状部材の山形の頂点でゴルフボールの中心を打撃することも起こりうるものであり、この場合、ゴルフボールは真っ直ぐに飛んでいく。そうすると、スイートスポットに重なる領域で打撃したものか否かの判断がつかない。
【００１２】
〔目的〕
本発明は上記問題点を解決するために提案されたものであり、その目的は、ゴルフボールを確実にクラブヘッドのスイートスポットおよびその周辺領域のスイートエリアで打撃できているか否かを容易に判断でき、かつ正しいスイングフォームを得ることができるスイング練習用クラブを提供することである。
【課題を解決するための手段】
【００１３】
そこで、前記課題を解決するために、本発明のスイング練習用クラブは、ゴルフのスイング練習用クラブであって、
シャフトと、このシャフトの先端に装備されたクラブヘッドとで構成し、
前記クラブヘッドを、フェース部、クラウン部、およびソール部で形成された内部空間を有するドライバー用のクラブヘッドとし、
前記フェース部のフェース面に前記クラブヘッドのスイートスポットおよびその周辺領域を覆う打撃部材を設け、
この打撃部材を、先端表面が前記フェース面と平行に形成されると共にゴルフボールを打撃する打撃面となった円柱部材で構成し、
前記円柱部材を、前記フェース面の外方に配置される本体部および当該本体部と一体的に形成され前記フェース面の内面側に配置されるオネジ部で構成すると共に、前記クラブヘッドの重心と前記スイートスポットとを結ぶ線の延長上に設け、
前記フェース面の裏面に、前記クラブヘッドの重心と前記スイートスポットとを結ぶ線に沿いかつ前記裏面から前記重心側に向けて前記内部空間に突出したナット部材を設け、
前記ナット部材に前記オネジ部を螺合して前記円柱部材を前記フェース面に装着したことを特徴とする。
【発明の効果】
【００１４】
本願発明のスイング練習用クラブは以上のように構成されており、打撃部材がドライバー用のクラブヘッドのスイートスポットおよびその周辺領域を覆った状態でフェース面に設けられているので、プレイヤーがスイングし、打撃部材の打撃面で打撃したゴルフボールが真っ直ぐに飛んだ場合、クラブヘッドのスイートスポットおよびその周辺領域で打撃したことを容易に判断でき、かつ正しいフォームでスイングしていることになる。  その結果、繰り返し練習することで、正しいスイングを習得することができ、これにより、通常のドライバー用のクラブヘッドでゴルフボールを打った場合でも、ゴルフボールを狙った方向に向かって真直ぐに飛ばせるようになる。
また、打撃部材が円柱部材で構成され、当該打撃部材の先端表面、つまり打撃面がヘッドのフェース面と平行な面に形成されているので、打撃面でゴルフボールを打った場合でも、クラブヘッドのフェース面で打った場合と同様の感触を得ることができる。
【図面の簡単な説明】
【００１５】
【図１】本発明のスイング練習用クラブの第１実施形態を表し、スイング練習用クラブのヘッドを示す側面図である。
【図２】図１におけるII矢視図である。
【図３】図２におけるIII−III線に沿った縦断面図である。
【図４】前記実施形態の打撃部材の種類を示す側面図である。
【図５】前記第１実施形態のクラブヘッドのフェース面と打撃部材との関係を示す拡大図である。
【図６】図４におけるVI矢視図である。
【図７】スイング練習用クラブとピン上にセットされたゴルフボールとの関連を示す側面図である。
【図８】前記第１実施形態のスイング練習用クラブによりゴルフボールを打った際の各態様を示す側面図である。
【図９】前記第１実施形態のスイング練習用クラブによりゴルフボールを打った際の各態様を示す平面図である。
【図１０】本発明のスイング練習用クラブの第２実施形態を示す縦断面図である。
【図１１】一般的なクラブヘッドの重心とスイートスポットとの関係を示す縦断面図である。
【発明を実施するための形態】
【００１６】
以下に、図１〜図９に基づいて、本発明のスイング練習用クラブの第１実施形態を詳細に説明する。
【００１７】
図１〜３には、本第１実施形態のスイング練習用クラブ（以下、単にクラブという）１０が示されている。
クラブ１０は、シャフト１１と、このシャフト１１の先端にホーゼル１２を介して設けられたクラブヘッド１３とを備えて構成されている。
このクラブヘッド１３は、クラウン部１４、フェース部１５およびソール部１６を備えて構成され、フェース部１５は、クラウン部１４およびソール部１６に溶接Ｗにより固着されている。なお、図１のクラブヘッド１３はドライバーを示す。
【００１８】
そして、本第１実施形態では、フェース部１５に、その表面、つまりフェース面１５Ａから外方に突出した打撃部材２０を着脱自在に設けた構成となっている。この打撃部材２０は、円柱部材で構成されており、図７〜９にも示すように、ゴルフゴルフボール５０を打撃するものであり、打撃部材２０の表面が平面状になっており、かつその平面状の表面が打撃面２０Ｓとなっている。
【００１９】
打撃部材２０は、図３，４に示すように、その軸線Ａが、クラブヘッド１３の重心Ｇとクラブヘッド１３のスイートスポットＳＳとを結ぶ垂線Ｐの延長線上に重なるように配置されている。ここで、上記重心Ｇは、打撃部材２０を取付けない状態における重心である。
打撃部材２０の先端表面は前述のように平面形状に形成されており、この平面形状は、上記フェース面１５Ａと平行な面に形成されている。そして、この先端表面が、上述のようにゴルフボール５０を打撃する上記打撃面２０Ｓとなっている。
【００２０】
上記打撃部材２０は、図４（Ａ）、（Ｂ）、（Ｃ）に示すように、軸線Ａ方向に沿った長さ寸法Ｌ２の本体部２０Ａと、それに続く高さ寸法Ｌ３のオネジ部２０Ｂとで構成されている。また、本体部２０Ａの一部、つまりオネジ部２０Ｂ側の一部には、打撃部材２０をクラブヘッド１３に装着時に利用する二面幅２０Ｃが形成されている。
この二面幅２０Ｃの高さ寸法はＬ１となっており、オネジ部２０Ｂの高さ寸法Ｌ３の約半分に形成されている。このため、この二面幅２０Ｃに、打撃部材２０の交換作業用の工具であるスパナ等を係合させ回すことで、本体部２０Ａひいては打撃部材２０をクラブヘッド１３に対して着脱自在となっている。
【００２１】
上記オネジ部２０Ｂは、本実施形態ではＭ８のオネジで形成されている。そして、オネジ部２０Ｂはスプリングワッシャー２１を間に介在させてフェース部１５に装着されるようになっている。このスプリングワッシャー２１は、Ｍ８のオネジに対応するものが使用されている。
なお、オネジ部２０ＢのオネジはＭ８に限定されず、例えば、Ｍ６でもよい。
【００２２】
打撃部材２０は、その本体部２０Ａの直径寸法が異なる複数種類で構成されている。
すなわち、本実施形態では、図４（Ａ）に示すように本体部２０Ａの直径寸法がΦ１の打撃部材２０Ｘ、図４（Ｂ）に示すように本体部２０Ａの直径寸法がΦ２の打撃部材２０Ｙ、図４（Ｃ）に示すように本体部２０Ａの直径寸法がΦ３の打撃部材２０Ｚの３種類が予め準備されている。
【００２３】
ここで、上記３種類の本体部２０Ａの直径寸法Φ１は例えば４０ｍｍ、直径寸法Φ２は例えば３０ｍｍ、直径寸法Φ３は例えば２０ｍｍに設定されており、それぞれ打撃面２０Ｓの表面積が異なっている。
そして、上記各直径寸法４０，３０，２０ｍｍの打撃面２０Ｓは、本体部２０Ａの径方向の中心Ｃ（スイートスポットＳＳ）の周辺領域、つまりスイートエリアを構成している。
また、本体部２０Ａの高さ寸法Ｌ２は、例えば８ｍｍに形成されており、オネジ部２０Ｂの長さ寸法Ｌ３は、例えば、１５ｍｍ〜２０ｍｍ程度に形成されている。そして、二面幅２０Ｃの高さ寸法Ｌ１は、例えば、４ｍｍ程度に形成されている。
【００２４】
さらに、図６に示すように、二面幅２０Ｃの間隔Ｌ４は、本体部２０Ａの直径寸法Φ１，Φ２，Φ３に応じてまた、例えばＪＩＳ規格に則って設定されている。
すなわち、直径寸法Φ１が４０ｍｍの場合の間隔Ｌ４は例えば３２ｍｍ、直径寸法Φ２が３０ｍｍの場合の間隔Ｌ４は例えば２４ｍｍ、直径寸法Φ３が２０ｍｍの場合の間隔Ｌ４は例えば１４ｍｍに設定されている。そして、これらの寸法に対応できるように、三方に分かれたスパナ（図略）を付属品として準備しておくと好適である。
ただし、打撃部材２０は上記３種類に限らず、また、上記直径寸法の大きさ、本体部２０Ａの長さ寸法、および二面幅２０Ｃの間隔Ｌ４も上記寸法に限定されない。
【００２５】
打撃部材２０は、上述のように、その本体部２０Ａの直径寸法がΦ１，Φ２，Φ３の３種類のものが予め準備されており、任意のものを使用することができる。
例えば、クラブ１０の使用に慣れない初期のうちは、もっとも大きな直径寸法Φ１の本体部２０Ａのものを使用して練習する。
慣れてきた段階で直径寸法Φ２、直径寸法Φ１の本体部２０Ａのものを装着して練習するなど、上達の程度に応じて使い分けするようにすればよい。
ここで、直径寸法が最も小さな寸法Φ３は例えば２０ｍｍに設定されており、その大きさの本体部２０Ａで打撃できれば、クラブヘッド１３のスイートスポットＳＳで略完璧に打撃できていることになり、正しいスイングフォームを会得していることになる。
【００２６】
上述のような構成の打撃部材２０に対して、図３，５に示すように、前記フェース部１５のフェース面１５Ａの裏面には、前記打撃部材２０を着脱自在に装着するためのナット部材３０が溶接Ｗにより固着されている。
このナット部材３０は所定長さ（例えば、２５ｍｍ）に形成され、その軸線３０Ｂがクラブヘッド１３の重心Ｇと前記ＳＳとを結ぶ線Ｐと重なるように配置されている。
【００２７】
ナット部材３０の内径部には、当該ナット部材３０の全長にわたってねじ孔３０Ａが形成されている。このねじ孔３０Ａは、前記オネジ部２０Ｂと螺合するメネジで形成されており、ねじ孔３０Ａの長さ、つまり、ナット部材３０の長さは、オネジ部２０Ｂの長さ寸法より所定寸法長く形成されている。
なお、フェース面１５Ａにおいてナット部材３０が取付けられる部位には、図５に示すように、ナット部材３０のねじ孔３０Ａに打撃部材２０のオネジ部２０Ｂを螺合させる際にオネジ部２０Ｂを挿通させるねじ孔１５Ｂがあけられている。
【００２８】
次に、図５に基づいて、クラブヘッド１３のスイートスポットＳＳと打撃部材２０の先端表面、つまり打撃面２０Ｓの中心Ｃとの関係を詳細に説明する。
【００２９】
フェース部１５のフェース面１５Ａに装着された打撃部材２０が、クラブヘッド１３の重心Ｇとクラブヘッド１３のスイートスポットＳＳとを結ぶ線Ｐの延長上に配置されている場合、打撃部材２０の先端表面の中心Ｃが上記スイートスポットＳＳより寸法ＬＬだけ高い位置にある。そのため、その寸法ＬＬ分ずれた位置でゴルフボール５０を打つことになる。
【００３０】
しかし、クラブヘッド１３のロフト角α°が、例えば１０°（図１参照）で、打撃部材２０の前記本体部２０Ａの厚さ寸法を、例えば８ｍｍとした場合で、前記スプリングワッシャー２１の厚みが２ｍｍ（Ｍ８用）を使用したとき、上記寸法ＬＬは約２ｍｍである。
この２ｍｍのずれは、打撃部材２０の表面においてスイートスポットＳＳと略同一と判断してもよく、また、同一でなくてもスイートスポットＳＳの周辺領域、すなわちスイートスポット領域、さらに言い換えればスイートエリアに含まれるものである。
したがって、そのままの状態で使用しても、スイートスポットＳＳまたはスイートエリアで打撃した状態と略同じである。
【００３１】
今度は、図７、図８（Ａ）〜（Ｃ）、図９（Ａ）〜（Ｃ）に基づいて、本第１実施形態のクラブ１０によりゴルフボール５０を打撃する状態を説明する。
なお、図８、図９は、右打ちのプレイヤーがプレイする場合を示す。
【００３２】
図７に示すように、ピン５１上にセットされたゴルフボール５０に対して、クラブ１０の打撃部材２０の打撃面２０Ｓが対向している。このとき、ゴルフボール５０の中心５０Ｃとクラブヘッド１３における打撃部材２０の中心Ｃとが、クラブヘッド１３の重心ＧとスイートスポットＳＳとを結ぶ垂線Ｐの延長線上に略位置しているか否かを、例えば目視で確認したり、あるいは打撃面２０Ｓをゴルフボール５０に軽く接触させて確認する等してから構える。
【００３３】
まず、図８（Ａ）〜（Ｃ）に基づいて側面から見た場合を説明する。
クラブ１０によりゴルフボール５０を打ったとき、図８（Ａ）に示すように、打撃部材２０の中心Ｃがゴルフボール５０の中心５０Ｃ上を通るスイングであった場合、ゴルフボール５０はクラブヘッド１３の重心ＧとスイートスポットＳＳとを結ぶ垂線Ｐの延長に沿って真直ぐに飛んでいく。
【００３４】
次に、図８（Ｂ）に示すように、打撃部材２０の中心Ｃとゴルフボール５０の中心５０Ｃとがずれた位置で打撃した場合、例えば、打撃部材２０における打撃面２０Ｓの下部側でゴルフボール５０の上面側を打撃した場合、ゴルフボール５０は下側に飛んでいく。この状態は、いわゆるトップ状態である。
【００３５】
また、図８（Ｃ）に示すように、打撃部材２０の中心Ｃとゴルフボール５０の中心５０Ｃとがずれた位置で打撃した場合、例えば、打撃部材２０における打撃面２０Ｓの上部側でゴルフボール５０の下面側を打撃した場合、ゴルフボール５０は上側に飛んでいく。この状態は、いわゆるテンプラ状態である。
【００３６】
次に、図９（Ａ）〜（Ｃ）に基づいて平面から見た場合を説明する。
クラブ１０によりゴルフボール５０を打ったとき、図９（Ａ）に示すように、打撃部材２０の中心Ｃがゴルフボール５０の中心５０Ｃ上を通るスイングであった場合、ゴルフボール５０はクラブヘッド１３の重心ＧとスイートスポットＳＳとを結ぶ線Ｐの延長に沿って真直ぐに飛んでいく。
【００３７】
次に、図９（Ｂ）に示すように、打撃部材２０の中心Ｃとゴルフボール５０の中心５０Ｃとがずれた位置で打撃した場合、例えば、プレイヤーから見て打撃部材２０の奥側の端部でゴルフボール５０の略中心部を打撃した場合、ゴルフボール５０は右側に飛んでいく。この状態は、いわゆるスライス状態である。
【００３８】
また、図８（Ｃ）に示すように、打撃部材２０の中心Ｃとゴルフボール５０の中心５０Ｃとがずれた位置で打撃した場合、例えば、プレイヤーから見て打撃部材２０の手前側の端部でゴルフボール５０の略中心部を打撃した場合、ゴルフボール５０は左側に飛んでいく。この状態は、いわゆるフック状態である。
【００３９】
以上のような構成の第１実施形態のクラブ１０によれば次のような効果が得られる。
（１）打撃部材２０がクラブヘッド１３のスイートスポットＳＳおよびその周辺領域を覆った状態でフェース面に設けられているので、プレイヤーがスイングし、打撃部材２０の打撃面２０Ｓで打撃したゴルフボール５０が真っ直ぐに飛んだ場合、クラブヘッド１３のスイートスポットＳＳおよびその周辺領域、つまりスイートエリアで打撃したことを容易に判断でき、かつ正しいフォームでスイングしていることになる。
その結果、繰り返し練習することで、正しいスイングを習得することができ、これにより、通常のクラブヘッドでゴルフボールを打った場合でも、ゴルフボールを狙った方向に向かって真直ぐに飛ばせるようになる。
【００４０】
（２）打撃部材２０が円柱部材で構成され、当該打撃部材２０の先端表面、つまり打撃面２０Ｓがヘッド１３のフェース面１５Ａと平行な面に形成されているので、打撃面２０Ｓでゴルフボール５０を打った場合でも、クラブヘッド１３のフェース面１５Ａで打った場合と同様の感触を得ることができる。
【００４１】
（３）打撃部材２０を、その本体部２０Ａの直径寸法がΦ１の打撃部材２０Ｘ、Φ２の打撃部材２０Ｙ、Φ３の打撃部材２０Ｚの３種類のものが予め準備されており、任意のものを使用することができる。例えば、クラブ１０の使用に慣れない初期のうちは、もっとも大きな直径寸法Φ１の本体部２０Ａのものを使用し、慣れてきた段階で直径寸法Φ２、直径寸法Φ１の本体部２０Ａのものを装着して練習するなど、上達の程度に応じて使い分けすることができる。
【００４２】
（４）クラブヘッド１３をスイングし、打撃部材２０の打撃面２０Ｓでゴルフボール５０を打撃したとき、打撃面２０Ｓ内でそのゴルフボール５０を捉えていればゴルフボール５０が真っ直ぐ飛んで行き、打撃面２０Ｓの縁部で打撃した場合は、トップ状態、テンプラ状態、フック状態あるいはスライス状態となるので、打撃状態を容易に確認でき、そのつど修正することにより、正しいスイングを得ることができるようになる。
【００４３】
（５）本体部２０Ａのオネジ部２０Ｂ側一部に、打撃部材２０をクラブヘッド１３のフェース部１５に着脱自在に装着する際に利用する二面幅２０Ｃが形成されており、この二面幅２０Ｃは３種類の打撃部材２０のそれぞれに対応した大きさに形成されているので、３種類の打撃部材２０の取り付け、取り外し作業が容易である。
【００４４】
（６）打撃部材２０をクラブヘッド１３のフェース部１５に着脱自在に装着する際、両者２０，１５Ａの間にスプリングワッシャー２１が介在されているので、このスプリングワッシャー２１の反発力により打撃部材２０が打撃のたびに緩むことを防止することができる。その結果、安心して練習することができる。
【００４５】
（７）ナット部材３０は、フェース部１５のフェース面１５Ａの裏面に溶接等により固着されており、フェース部１５をクラウン１３Ａ等に溶接Ｗにより一体化する前に固着すればよいので、ナット部材３０を容易に取付けることができる。
【００４６】
次に、図１０を参照して本発明のスイング練習用クラブの第２実施形態を説明する。
前記第１実施形態のスイング練習用クラブ１０では、打撃部材２０を装着するナット部材３０を、フェース部１５の裏面に溶接で固着して装着していたものを、本第２実施形態では、フェース面４５Ｃを有するフェース部４５にナット部４５Ａを一体形成してスイング練習用クラブ４０を構成したものである。
【００４７】
クラブ４０は、前記シャフト１１と、このシャフト１１の先端に前記ホーゼル１２を介して設けられたクラブヘッド４３とを備えて構成されている。このクラブヘッド４３は、クラウン部４４、フェース部４５およびソール部４６を備えて構成され、フェース部４５は、クラウン部４４およびソール部４６に溶接Ｗにより固着されている。
【００４８】
本第２実施形態のフェース部４５は、例えば、金型や削り出し等で、フェース部４５の裏面に円筒状突起部からなるナット部４５Ａを前記重心Ｇ側に突出させた形状に形成し、このナット部４５Ａの内径部に前記メネジ３０Ａと同様のメネジ４５Ｂが形成されている。そして、このメネジ４５Ｂに前記打撃部材２０のオネジ２０Ｂが螺合するようになっている。
なお、第２実施形態を示す図１０において、前記第１実施形態と同一部材および同一構造には、同一符号を付すと共に、それらの詳細な説明は省略する。
【００４９】
このような第２実施形態のスイング練習用クラブ４０でも、前記（１）〜（６）と略同様の効果の他、次のような効果を得ることができる。
（８）フェース部４５にナット部４５Ａが一体形成されているので、第１実施形態のフェース部１５の裏面にナット部材３０を溶接Ｗで固着する手間が省けると共に、省部材化を図ることができる。
【００５０】
以上、前記各実施形態を参照して本発明を説明したが、本発明は前記各実施形態に限定されるものではない。本発明の構成や詳細については、当業者が理解し得るさまざまな変更を加えることができる。また、本発明には、前記各実施形態の構成の一部又は全部を相互に適宜組み合わせたものも含まれる。
【００５１】
例えば、前記各実施形態では、打撃部材２０をフェース部１５の裏面に固定されたナット部材３０に螺合させて取付け、あるいはフェース部４５と一体形成されたナット部４５Ａに螺合させて取付けるようになっていたが、これに限らない。所定の大きさの本体部を有する打撃部材をフェース部に溶接等により固着してもよい。ただし、この場合、複数種類の打撃部材を揃えるには、欲しい数だけのクラブヘッドが必要となる、取り替え自在な前記各実施形態の方が好ましい。
【産業上の利用可能性】
【００５３】
本発明は、ゴルフにおいて正しいスイングを会得するためにスイング練習を行う際に利用することができる。
【符号の説明】
【００５４】
１０  スイング練習用ゴルフクラブ
１１  シャフト
１３  クラブヘッド
１５  フェース面部
１５Ａ  フェース面
２０  打撃部材
２０Ａ  本体部
２０Ｂ  オネジ部
２０Ｃ  二面幅
２０Ｓ  打撃面
３０  ナット部材
３０Ａ  メネジ部
５０  ゴルフボール
Ｇ  重心
ＳＳ  スイートスポット
Ｐ  クラブヘッドの重心からフェース面に向かって延びた垂線
Ａ  打撃部材の軸線
【要約】 
【課題】ゴルフボールを確実にクラブヘッドのスイートスポットおよびその周辺領域のスイートエリアで打撃できているか否かを容易に判断でき、かつ正しいスイングフォームを得ることができるスイング練習用クラブを提供する。
【解決手段】スイング練習用クラブ１０は、シャフト１１の先端に装備されたクラブヘッド１３のフェース面１５Ａに、当該クラブヘッド１３のスイートスポットＳＳおよびその周辺領域を覆うと共に、フェース面１５Ａから外方に突出した打撃部材２０を設け、この打撃部材２０の先端表面２０Ｓを、フェース面１５Ａと平行な面とすると共にゴルフボールを打撃する打撃面とした。そして、打撃部材２０を円柱部材で構成すると共に、ネジ部２０Ｂとこのネジ部２０Ｂの一端側に一体的に形成された本体部２０Ａとで形成した。
【選択図】 図３【図１】
0005937739.tif 000002
【図２】
0005937739.tif 000003
【図３】
0005937739.tif 000004
【図４】
0005937739.tif 000005
【図５】
0005937739.tif 000006
【図６】
0005937739.tif 000007
【図７】
0005937739.tif 000008
【図８】
0005937739.tif 000009
【図９】
0005937739.tif 000010
【図１０】
0005937739.tif 000011
【図１１】
0005937739.tif 000012